(57)【要約】【課題】ジャムアクセスカバーの開閉に連動して、ニップ解除レバーが回動する定着器において、カバー開閉方向とカバー開閉方向に対する横方向との２方向に動くニップ解除レバーが該２方向の間で滑らかに方向転換できるようにすることを課題とする。【解決手段】ニップ解除レバー５０をニップ位置とニップ解除位置との間でカバー開閉方向に案内する第１案内溝４４ｃと、ニップ解除レバー５０をニップ位置とジャムアクセスカバー７に設けた第１係合部７０ａの移動経路をかわす回避位置との間でカバー開閉方向に対する横方向に案内する第２案内溝とが接続される接続部のコーナーを面取りする。【選択図】  図１５
2005208544.tif 000002
【特許請求の範囲】
【請求項１】
定着器のヒートローラとプレスローラとのニップを解除するニップ解除レバーと、
前記定着器を覆う開閉可能なカバーに設けられて、前記ニップ解除レバーと係脱する第１の係合部と、
前記カバーにおける、前記第１の係合部のカバー開閉方向開側に配置されて、前記ニップ解除レバーと係脱する第２の係合部と、
前記ニップ解除レバーをニップ位置とニップ解除位置との間でカバー開閉方向に案内する第１の案内手段と、
前記ニップ解除レバーをニップ位置と前記第１の係合部の移動経路をかわす回避位置との間でカバー開閉方向に対する横方向に案内する第２の案内手段と、
を備え、
前記カバーを開けるときには、前記第１の係合部のカバー開閉方向開側の側部が、ニップ位置にある前記ニップ解除レバーのカバー開閉方向閉側の側部と当接することで、該ニップ解除レバーを前記第１の案内手段に沿ってニップ位置からニップ解除位置へとカバー開閉方向へ移動させ、
前記カバーを閉じるときに、前記ニップ解除レバーがニップ解除位置にある場合には、前記第２の係合部のカバー開閉方向閉側の側部が該ニップ解除レバーのカバー開閉方向開側の側部と当接することで、該ニップ解除レバーを前記第１の案内手段に沿ってニップ解除位置からニップ位置へとカバー開閉方向へ移動させ、
前記カバーを閉じるときに、前記ニップ解除レバーがニップ位置にある場合には、前記第１の係合部のカバー開閉方向閉側の側部が該ニップ解除レバーのカバー開閉方向開側の側部と接触しながら、該ニップ解除レバーを前記第２の案内手段に沿ってニップ位置から回避位置へとカバー開閉方向に対する横方向へ変位させて、該第１の係合部をやり過ごす構成の定着器であって、
前記第１の案内手段と前記第２の案内手段とが接続される接続部のコーナーを面取りしたことを特徴とする定着器。
【請求項２】
前記面取りをＲ面取りとしたことを特徴とする請求項１に記載の定着器。
【請求項３】
前記ニップ解除レバーのカバー開閉方向に対する横方向で回避位置側の側面の縁部を面取りしたことを特徴とする請求項１、又は請求項２に記載の定着器。 
【発明の詳細な説明】
【技術分野】
【０００１】
本発明は、ヒートローラとプレスローラとのニップを解除するニップ解除レバーを備えた定着器に関し、詳しくは、ニップ解除レバーを案内する案内手段に関する。
【背景技術】
【０００２】
コピー機や、ファクシミリ、プリンタ等の画像形成装置においては、紙詰まりを除去する等のメンテナンス作業のために開閉できるジャムアクセスカバーを備え、該カバーを開くことによって装置内部の記録紙搬送路にアクセスできる構成が公知となっている。
【０００３】
また、ジャムアクセスカバーを開いてメンテナンス作業を行うときは、該カバーの開放に連動させて画像形成装置内部にある定着器のヒートローラとプレスローラのニップを解除して、少なくとも一方のローラの回転をフリーとさせることで、定着器内部で詰まった記録紙を容易に引き抜いて取り除けるようにした技術が公知となっている（例えば、特許文献１から特許文献３を参照）。
【０００４】
【特許文献１】特開２００３−１８６３３７号公報
【０００５】
【特許文献２】特開２００２−１２５８６１号公報
【０００６】
【特許文献３】特開平６−２９５１３９号公報
【発明の開示】
【発明が解決しようとする課題】
【０００７】
本発明は、前記従来技術とは別構成で、ジャムアクセスカバーを閉じるときに、ニップ解除レバーがニップ解除位置にある場合には、該カバーに設けた２つの係合部のうちのカバー開閉方向開側の第２の係合部のカバー開閉方向閉側の側部が該ニップ解除レバーのカバー開閉方向開側の側部と当接することで、該ニップ解除レバーをニップ解除位置からニップ位置へとカバー開閉方向へ移動させ、該カバーを閉じるときに、該ニップ解除レバーがニップ位置にある場合には、該カバーに設けた２つの係合部のうちのカバー開閉方向閉側の第１の係合部のカバー開閉方向閉側の側部が該ニップ解除レバーのカバー開閉方向開側の側部と接触しながら、該ニップ解除レバーをニップ位置から回避位置へとカバー開閉方向に対する横方向へ変位させて、該第１の係合部をやり過ごす構成の定着器であって、カバー開閉方向とカバー開閉方向に対する横方向との２方向に動くニップ解除レバーが該２方向の間で滑らかに方向転換できるようにした定着器を提供することが課題である。
【課題を解決するための手段】
【０００８】
本発明の解決しようとする課題は以上のとおりであり、次にこの課題を解決するための手段を説明する。
まず、請求項１に記載のように、定着器のヒートローラとプレスローラとのニップを解除するニップ解除レバーと、前記定着器を覆う開閉可能なカバーに設けられて、前記ニップ解除レバーと係脱する第１の係合部と、前記カバーにおける、前記第１の係合部のカバー開閉方向開側に配置されて、前記ニップ解除レバーと係脱する第２の係合部と、前記ニップ解除レバーをニップ位置とニップ解除位置との間でカバー開閉方向に案内する第１の案内手段と、前記ニップ解除レバーをニップ位置と前記第１の係合部の移動経路をかわす回避位置との間でカバー開閉方向に対する横方向に案内する第２の案内手段と、を備え、前記カバーを開けるときには、前記第１の係合部のカバー開閉方向開側の側部が、ニップ位置にある前記ニップ解除レバーのカバー開閉方向閉側の側部と当接することで、該ニップ解除レバーを前記第１の案内手段に沿ってニップ位置からニップ解除位置へとカバー開閉方向へ移動させ、前記カバーを閉じるときに、前記ニップ解除レバーがニップ解除位置にある場合には、前記第２の係合部のカバー開閉方向閉側の側部が該ニップ解除レバーのカバー開閉方向開側の側部と当接することで、該ニップ解除レバーを前記第１の案内手段に沿ってニップ解除位置からニップ位置へとカバー開閉方向へ移動させ、前記カバーを閉じるときに、前記ニップ解除レバーがニップ位置にある場合には、前記第１の係合部のカバー開閉方向閉側の側部が該ニップ解除レバーのカバー開閉方向開側の側部と接触しながら、該ニップ解除レバーを前記第２の案内手段に沿ってニップ位置から回避位置へとカバー開閉方向に対する横方向へ変位させて、該第１の係合部をやり過ごす構成の定着器であって、前記第１の案内手段と前記第２の案内手段とが接続される接続部のコーナーを面取りする。
【０００９】
また、請求項２に記載のように、前記面取りをＲ面取りとする。
【００１０】
そして、請求項３に記載のように、前記ニップ解除レバーのカバー開閉方向に対する横方向で回避位置側の側面の縁部を面取りする。
【発明の効果】
【００１１】
本発明は、以上のように構成したことにより、次のような効果を奏する。
まず、請求項１に記載の発明では、前記第１の案内手段と前記第２の案内手段とが接続される接続部のコーナーを面取りしたことで、前記ニップ解除レバーをカバー開閉方向とカバー開閉方向に対する横方向との間で滑らかに方向転換させることができ、該ニップ解除レバーが該接続部のコーナーに引っ掛かって、ジャムアクセスカバー側の係合部を損壊することもない。
【００１２】
また、請求項２に記載の発明では、前記面取りをＲ面取りとしたことで、前記ニップ解除レバーをカバー開閉方向とカバー開閉方向に対する横方向との間でより滑らかに方向転換させることができ、該ニップ解除レバーが該接続部のコーナーに引っ掛かって、ジャムアクセスカバー側の係合部を損壊することもない。
【００１３】
そして、請求項３に記載の発明では、前記ニップ解除レバーのカバー開閉方向に対する横方向の回避位置側の側面の縁部を面取りしたことで、この部分がカバー開閉方向とカバー開閉方向に対する横方向との間で方向を転換するときに滑らかに案内されて、ニップ解除レバーがスムーズに動くようになる。
【発明を実施するための最良の形態】
【００１４】
次に、本発明の実施の一形態を、図面を参照しながら説明する。
まず、図１及び図２を参照しながら、コピー機やファクシミリ装置等が具備する画像形成装置１について概略説明する。
【００１５】
図１に示すように、画像形成装置１は給紙カセット５の上方に配置されており、該画像形成装置１の上部に排紙トレイ６が形成されている。画像形成装置１の内部には、給紙カセット５から繰り込まれた記録紙を搬送する第１記録紙搬送経路１１と第２記録紙搬送経路１２とが形成されており、該第１記録紙搬送経路１１に沿い、下流側へ向けて、現像器ユニット２、感光体ユニット３、定着器ユニット４が配置されている。これらのユニット２・３・４で画像形成部が構成されており、給紙カセット５から繰り込まれた記録紙は該画像形成部で画像情報が転写されて定着が行われた後、排紙トレイ６へ排出されるように構成されている。
【００１６】
画像形成装置１の一側部にはジャムアクセスカバー７が装置本体１ａに対して開閉（回動）可能に設けられており、該ジャムアクセスカバー７は画像形成装置１の一側端部の下部位置を中心に上下回動可能に構成されて、記録紙搬送経路１１・１２でジャムが発生した場合などに、画像形成装置１の一側部を開放できるように構成されている。
【００１７】
定着器ユニット４は画像形成装置１の上部に配置されて、装置本体１ａとジャムアクセスカバー７との間に着脱自在に取り付けられており、該定着器ユニット４を装置本体１ａに装着したときに、該定着器ユニット４の外側部と該ジャムアクセスカバー７の内側部との間に第２記録紙搬送経路１２が形成されるように構成されている。この第２記録紙搬送経路１２は、両面プリント時に記録紙の紙面を反転するための搬送経路であり、第１記録紙搬送経路１１の外側方（ジャムアクセスカバー７側）に配置されて、該第１記録紙搬送経路１１と該第２記録紙搬送経路１２とは、画像形成部の下流側の分岐部１１ｂで分岐し、画像形成部の上流側の合流部１１ａで合流するように構成されている。
【００１８】
次に、定着器ユニット４の構成について説明する。
図１に示すように、定着器ユニット４は、軸心位置にハロゲンランプ等のランプヒータ４８が内装されるヒートローラ４１と、該ヒートローラ４１に圧接するプレスローラ４２と、を備え、該定着器ユニット４を装置本体１ａに取り付けたときに、ヒートローラ４１とプレスローラ４２とのニップ部が第１記録紙搬送経路１１に沿って配置されるように構成されている。
【００１９】
図２、図３に示すように、定着器ユニット４のフレームは、ヒートローラ４１を軸支する第１フレーム４３と、プレスローラ４２を軸支する第２フレーム４４とから成り、該第１フレーム４３の下端部と該第２フレーム４４の下端部とを係合させて、該第１フレーム４３の上端部と該第２フレーム４４の上端部とを締結して構成されている。
【００２０】
第２フレーム４４のローラ軸方向両側端部にはプレスローラ４２のローラ軸をヒートローラ４１側へ付勢するコイルバネ（図示略）が取り付けられており、該コイルバネによってプレスローラ４２をヒートローラ４１に圧接させている。
【００２１】
図１、図３に示すように、第２フレーム４４の上部には記録紙の搬送方向を切り換える切換部材４５が回動自在に取り付けられている。この切換部材４５の重心位置は該切換部材４５の回転軸４５ａに対して第１フレーム４３側に配置されており、このため切換部材４５は自重によって第１フレーム４３側へ倒れるようになっている。また、切換部材４５の回転軸４５ａには捻りバネ４６が取り付けられており、該捻りバネ４６によっても切換部材４５が確実に第１フレーム４３側へ倒れるように軽く付勢している。
【００２２】
図４、図５に示すように、切換部材４５は回動体４５ｃの周囲にローラ軸方向に間隔を開けて多数のリブ４５ｂ・４５ｂ・・・が凸設されており、また、第２フレーム４４の上面にもローラ軸方向に間隔を開けて多数のリブ４４ｂ・４４ｂ・・・が立設されている。これらのリブ４４ｂ・４４ｂ・・・、リブ４５ｂ・４５ｂ・・・は、記録紙との接触面積を減らして摩擦抵抗を軽減し、記録紙がスムーズに搬送されるようにしている。  
【００２３】
図１に示すように、切換部材４５は、通常、分岐部１１ｂで第１記録紙搬送経路１１を塞いで第２記録紙搬送経路１２への入口を開放した状態で第１フレーム４３側へ倒れており、定着器ユニット４を通過した記録紙は、その先端で切換部材４５を押し上げながら分岐部１１ｂを通過し、該記録紙の終端が分岐部１１ｂを通過した後、該切換部材４５は元位置の、第１記録紙搬送経路１１を塞いで第２記録紙搬送経路１２への入口を開放した状態に復帰するように構成されている。そして、分岐部１１ｂを通過してスイッチバック反転した記録紙があるときは、該記録紙は該切換部材４５の上部によって第２記録紙搬送経路１２へ案内されるように構成されている。
【００２４】
また、図３、図４、図５に示すように、第２フレーム４３におけるローラ軸方向両側端部には、ヒートローラ４１とプレスローラ４２とのニップを解除するニップ解除レバー５０が設けられており、該ニップ解除レバー５０はジャムアクセスカバー７の開閉に連動して回動するように構成され、利便性の向上が図られている。
【００２５】
次に、ニップ解除レバー５０の構成について説明する。
図６、図７、図８に示すように、ニップ解除レバー５０の頭部５０ａには、ローラ軸方向外側部（後述の反回避位置側の側部）に、カバー開閉方向開側へいくに連れてローラ軸方向内側（回避位置側）へ傾斜する側面を有する案内部５０ｃが形成されている。また、ニップ解除レバー５０の頭部５０ａには、上方側に、カバー開閉方向開側へいくに連れて下方へ傾斜する上面を有する当接部５０ｄが形成されている。
【００２６】
図９に示すように、ニップ解除レバー５０の基部５０ｂには上下方向に長く構成した長孔５０ｈが形成されており、該基部５０ｂの長孔５０ｈは鉄やアルミ等の金属部材又は樹脂で形成されたプレスローラ４２のローラ軸４９に取り付けられている。すなわち、プレスローラ４２のローラ軸と、プレスローラ４２をヒートローラ４１から引き離すニップ解除レバー５０の回転軸とが共通の軸４９（以下、「共通軸４９」とよぶ）で構成されている。この構成によれば、部品点数を減らせてコストの削減を図ることができるとともに、ニップ解除レバー５０を回動させるときにも、定着器ユニット４に不必要なモーメントが発生しない。
【００２７】
前記ニップ解除レバー５０の基部５０ｂは、前記共通軸４９の軸芯（又は長孔５０ｈの長径と短径とが交叉する中心位置）からの距離が相対的に長い領域であるニップ解除面５０ｆと、前記共通軸４９の軸芯からの距離が相対的に短い領域であるニップ面５０ｇと、を有するカム形状に形成されている。
以上のように、ニップ解除レバー５０は、頭部５０ａと、基部５０ｂと、該頭部５０ａと該基部５０ｂとを接続するアーム部５０ｅと、から成り、これらの縁部は面取りされている。
【００２８】
次に、ジャムアクセスカバー７の開閉に連動してニップ解除レバー５０が回動する構成について説明する。
図９に示すように、ジャムアクセスカバー７を構成するフレーム７０には、ローラ軸方向両側端部に、ニップ解除レバー５０と係脱する第１係合部７０ａと、第２係合部７０ｂとが１対ずつ設けられている。第２係合部７０ｂは第１係合部７０ａのカバー開閉方向開側に配置されており、該第１係合部７０ａと該第２係合部７０ｂとはそれぞれフレーム７０から平行に垂設されて、「Ｆ」字を寝かせた形状に配置されている。
【００２９】
図９、図１０、図１１の順に示すように、ジャムアクセスカバー７を開けるときには、該ジャムアクセスカバー７の第１係合部７０ａのカバー開閉方向開側の側部が、ニップ位置にあるニップ解除レバー５０の頭部５０ａのカバー開閉方向閉側の側部と当接して押されることで、該ニップ解除レバー５０をニップ位置からニップ解除位置へとカバー開閉方向へ回動するように構成されている。これにより、ニップ解除レバー５０の基部５０ｂが回転（図９、図１０、図１１では時計方向に回転）して、該基部５０ｂのニップ解除面５０ｆが該基部５０ｂと対向する定着器ユニット４の第１フレーム４３の基部受部４３ｂに当接し、前記の共通軸４９とヒートローラ４１のローラ軸との距離が相対的に引き離されることで、ヒートローラ４１とプレスローラ４２とのニップが解除される。
【００３０】
また、図１１、図１２、図９の順に示すように、ジャムアクセスカバー７を閉じるときに、ニップ解除レバー５０がニップ解除位置にある場合には、該ジャムアクセスカバー７の第２係合部７０ｂのカバー開閉方向閉側の側部が該ニップ解除レバー５０の頭部５０ａのカバー開閉方向開側の側部である当接部５０ｄに当接することで、該ニップ解除レバー５０をニップ解除位置からニップ位置へとカバー開閉方向へ回動するように構成されている。これにより、ニップ解除レバー５０の基部５０ｂが回転（図１１、図１２、図９では反時計方向に回転）して、該基部５０ｂのニップ面５０ｇと前記第１フレーム４３の基部受部４３ｂとが接近対向し、前記の共通軸４９とヒートローラ４１のローラ軸との距離が相対的に接近することで、ヒートローラ４１とプレスローラ４２とがニップされる。
【００３１】
この状態では、ニップ解除レバー５０の基部５０ｂのニップ面５０ｇと、第１フレーム４３の基部受部４３ｂとの間に空隙が形成されて、該空隙によりニップ解除レバー５０がカバー開閉方向に対して真横の方向となるローラ軸方向へ変位可能となっている。また、この状態では、ニップ解除レバー５０の基部５０ｂに形成された長孔５０ｈは縦長となっており、該長孔５０ｈに挿通される共通軸４９は断面形状が円形で、このためニップ解除レバー５０はニップ位置で（詳しくは、ニップ位置と後述の回避位置との間の区間で）ローラ軸方向に傾倒可能となっている。
【００３２】
以上のようにニップ解除レバー５０はジャムアクセスカバー７の開閉に連動して回動するように構成されている。
ところが、ジャムアクセスカバー７を閉める前に、ユーザがニップ解除レバー５０をニップ位置に手で戻してしまっていることもあり、この場合は、ニップ解除レバー５０は次のようにしてジャムアクセスカバー７の第１係合部７０ａをかわすように構成されている。
【００３３】
図１３、図１４、図９の順に示すように、ジャムアクセスカバー７を閉じるときに、ニップ解除レバー５０がニップ位置にある場合には、該ジャムアクセスカバー７の第１係合部７０ａのカバー開閉方向閉側の側部が該ニップ解除レバー５０のカバー開閉方向開側の側部である案内部５０ｃと接触しながら、該ニップ解除レバー５０をニップ位置から回避位置へとローラ軸方向へ変位させて、該第１係合部７０ａをやり過ごす（回避する）ように構成されている。
【００３４】
次に、このニップ解除レバー５０がジャムアクセスカバー７の第１係合部７０ａをやり過ごす構成について説明する。
図６、図１５に示すように、プレスローラ４２を軸支する第２フレーム４４のローラ軸方向両側端部には、ニップ解除レバー５０をニップ位置とニップ解除位置との間でカバー開閉方向に案内する第１案内溝４４ｃと、ニップ位置とジャムアクセスカバー７の第１係合部７０ａの移動経路をかわす回避位置との間でローラ軸方向に案内する第２案内溝４４ｄと、が形成されている。このニップ位置と回避位置とはローラ軸方向に並置されており、該回避位置は該ニップ位置に対してローラの長手方向中央側に配置されて、ニップ解除レバー５０は定着器ユニット４のローラ軸方向の幅内で変位するように構成され、定着器ユニット４のローラ軸方向のサイズをコンパクトにしている。この第１案内溝４４ｃと第２案内溝４４ｄとが接続される接続部のコーナーは面取りされており、この面取り部４４ｅは本実施の形態ではＣ面取りとしているが、図１６に示すように、面取り部４４ｆはＲ面取りとしてもよい。
【００３５】
このように第１案内溝４４ｃと第２案内溝４４ｄとが接続される接続部のコーナーを面取りしたことで、ニップ解除レバー５０をカバー開閉方向とローラ軸方向との間で滑らかに方向転換させることができ、該ニップ解除レバー５０が該接続部のコーナーを損壊することもない。
【００３６】
また、図７に示すように、ニップ解除レバー５０のローラ軸方向の回避位置側の側面の縁部５０ｋも面取りされており、この部分が前記面取り部４４ｅ・４４ｆによりカバー開閉方向とローラ軸方向との間で方向を転換するときにも滑らかに案内されて、ニップ解除レバー５０がスムーズに動くように構成されている。
【００３７】
図６、図１７に示すように、前記案内溝４４ｃ・４４ｄの下方において、ニップ解除レバー５０を回避位置からニップ位置へ向けて付勢するコイルバネ５２が設けられている。前記共通軸４９にはニップ解除レバー５０とプレスローラ４２との間にバネ受け５３が取り付けられており、該バネ受け５３とニップ位置にあるニップ解除レバー５０の基部５０ｂとの間にスペース４４ｆが形成されて、該スペース４４ｆでコイルバネ５２が共通軸４９に外嵌されている。このコイルバネ５２のローラ軸方向の長さ（回避位置からニップ位置へ向けての長さ）は、スペース４４ｆのローラ軸方向の長さと同じ長さ、又はそれ以上の長さとして構成されている。このような構成で、付勢手段であるコイルバネ５２をニップ解除レバー５０とプレスローラ４２との間のスペース４４ｆに設けており、コンパクトなレイアウトにまとめあげている。
【００３８】
図１８に示すように、前記ジャムアクセスカバー７に設けた第１係合部７０ａのローラ軸方向で回避位置側の側部には、カバー開閉方向閉側へいくに連れて反回避位置側へ傾斜する案内部７０ｃが形成されている。
図１９、図２０、図２１に示すように、ジャムアクセスカバー７を閉じるときに、ニップ解除レバー５０がニップ位置にある場合には、該ジャムアクセスカバー７の第１係合部７０ａの案内部７０ｃが該ニップ解除レバー５０の頭部５０ａの案内部５０ｃと接触しながら、該ニップ解除レバー５０をニップ位置から回避位置へと第２案内溝４４ｄに沿ってローラ軸方向へ滑らかに案内していき、該ニップ解除レバー５０をローラの長手方向中央側へ変位させるとともに傾倒させながら、該第１係合部７０ａをやり過ごすように構成されている。
【００３９】
図７、図８に示すように、ニップ解除レバー５０の頭部５０ａと基部５０ｂとを接続するアーム部５０ｅは比較的長く構成されており、このためニップ解除レバー５０をローラ軸方向へ変位させるときに頭部５０ａの案内部５０ｃに作用させる力は小さくてすむ。また、アーム部５０ｅを長く構成することで、基部５０ｂの位置は殆ど変位させずに、ニップ解除レバー５０を傾けるだけで、ジャムアクセスカバー７の第１係合部７０ａをやり過ごすことができ、前記第２案内溝４４ｄにおけるニップ位置と回避位置との距離を短くすることができて、ニップ解除レバー５０の回避構成をコンパクトにすることができる。
【００４０】
また、図６、図７に示すように、ニップ解除レバー５０の案内部５０ｃのカバー開閉方向開側の縁部５０ｍも面取されており、これによりジャムアクセスカバー７の第１係合部７０ａの案内部７０ｃとニップ解除レバー５０の案内部５０ｃとが接触する際の衝撃が緩和されて、該第１係合部７０ａと該ニップ解除レバー５０の双方の破損が防止されている。
【００４１】
このような構成で、ジャムアクセスカバー７を閉めるときに、ニップ位置にあるニップ解除レバー５０をニップ位置から回避位置へと変位させて該ジャムアクセスカバー７の第１係合部７０ａをやり過ごした後、コイルバネ５２によってニップ解除レバー５０を回避位置からニップ位置へ確実に復帰させることができ、また、ニップ解除レバー５０はニップ位置に復帰した後もコイルバネ５２により反回避位置側へ付勢されていて、ローラ軸方向へ傾くこともない。このため、次のカバーの開閉操作でもジャムアクセスカバー７の第１係合部７０ａとニップ解除レバー５０の頭部５０ａとが確実に当接することとなり、該ニップ解除レバー５０をニップ位置からニップ解除位置へ確実に移動させることができる結果、信頼性が向上する。
【００４２】
また、付勢手段であるコイルバネ５２のローラ軸方向の長さは、前記スペース４４ｆのローラ軸方向の長さと同じ長さ、又はそれ以上の長さとしていることからも、ニップ位置にあるニップ解除レバー５０をローラ軸方向へ傾くことがないように適度に付勢するとともに、ジャムアクセスカバー７を閉めるときにも、ニップ解除レバーがニップ位置にある場合に、該ニップ解除レバー５０のニップ位置から回避位置への変位を妨げることがない程度に作用する。そして、ジャムアクセスカバー７の第１係合部７０ａをやり過ごした後に、該コイルバネ５２によってニップ解除レバー５０を回避位置からニップ位置へ確実に復帰させることができるようになっている。
【図面の簡単な説明】
【００４３】
【図１】画像形成装置１の概略構成を示す正面断面図。
【図２】定着器ユニット４の斜視図。
【図３】定着器ユニット４の側面図。
【図４】定着器ユニット４の平面図。
【図５】定着器ユニット４の背面図。
【図６】定着器ユニット４のローラ軸方向一側部に設けられたニップ解除レバー５０の斜視図。
【図７】ニップ解除レバー５０をカバー開閉方向開側から見た斜視図。
【図８】ニップ解除レバー５０をカバー開閉方向閉側から見た斜視図。
【図９】ジャムアクセスカバー７を閉じた状態での定着器ユニット４の側面断面図。
【図１０】ジャムアクセスカバー７を開いているときの定着器ユニット４の側面断面図。
【図１１】ジャムアクセスカバー７を開いているときの定着器ユニット４の側面断面図。
【図１２】ジャムアクセスカバー７を閉じているときの定着器ユニット４の側面断面図。
【図１３】ジャムアクセスカバー７を閉じているときの定着器ユニット４の側面断面図。
【図１４】ジャムアクセスカバー７を閉じているときの定着器ユニット４の側面断面図。
【図１５】定着器ユニット４のローラ軸方向一側部を示す平面図。
【図１６】定着器ユニット４のローラ軸方向一側部を示す平面図。
【図１７】定着器ユニット４のローラ軸方向一側部を示す底面断面図。
【図１８】定着器ユニット４のローラ軸方向一側部を示す平面図。
【図１９】定着器ユニット４のローラ軸方向一側部を示す平面図。
【図２０】定着器ユニット４のローラ軸方向一側部を示す平面図。
【図２１】定着器ユニット４のローラ軸方向一側部を示す平面図。
【符号の説明】
【００４４】
１    画像形成装置
４    定着器ユニット
７    ジャムアクセスカバー
４１    ヒートローラ
４２    プレスローラ
４３    第１フレーム
４３ｂ  基部受部
４４    第２フレーム
４４ｃ  第１案内溝
４４ｄ  第２案内溝
４４ｅ  面取り部
４４ｆ  面取り部
４９    共通軸
５０    ニップ解除レバー
５０ａ  頭部
５０ｂ  基部
５０ｃ  案内部
５０ｄ  当接部
５０ｅ  アーム部
５０ｆ  ニップ解除面
５０ｇ  ニップ面
５０ｈ  長孔
５２    コイルバネ
５３    バネ受け
７０    フレーム
７０ａ  第１係合部
７０ｂ  第２係合部
７０ｃ  案内部
【図１】
2005208544.tif 000003
【図２】
2005208544.tif 000004
【図３】
2005208544.tif 000005
【図４】
2005208544.tif 000006
【図５】
2005208544.tif 000007
【図６】
2005208544.tif 000008
【図７】
2005208544.tif 000009
【図８】
2005208544.tif 000010
【図９】
2005208544.tif 000011
【図１０】
2005208544.tif 000012
【図１１】
2005208544.tif 000013
【図１２】
2005208544.tif 000014
【図１３】
2005208544.tif 000015
【図１４】
2005208544.tif 000016
【図１５】
2005208544.tif 000017
【図１６】
2005208544.tif 000018
【図１７】
2005208544.tif 000019
【図１８】
2005208544.tif 000020
【図１９】
2005208544.tif 000021
【図２０】
2005208544.tif 000022
【図２１】
2005208544.tif 000023